(57)【要約】【課題】建物の骨格を構成するコンクリート躯体の成形時に、その躯体のスラブに打設されるスリーブの止水装置であって、スラブ上に溜まった雨水がスリーブの開口を通して階下に落水するのを防止するようにした。【解決手段】スラブＳに打設されるスリーブ１の開放上部に蓋体３を設け、その蓋体３は、スリーブ１の開放上面を塞ぐ天板４と、この天板４から下方に一体に設けられてスリーブ１内に嵌挿される筒体５とよりなり、その筒体５の外周面に形成した周溝６に、その筒体５とスリーブ１間を水密に閉じるパッキン８が嵌着される。【選択図】      図４
2004270396.tif 000002
【特許請求の範囲】
【請求項１】
コンクリート躯体（Ｂ）のスラブ（Ｓ）に、上下方向に軸線をもち、かつ、スラブ（Ｓ）の上下面に開放するように打設されるスリーブ（１）の止水装置であって、
前記スラブ（Ｓ）の上面よりも低位にある、前記スリーブ（１）の開放上部には、蓋体（３）が設けられ、該蓋体（３）は、前記スリーブ（１）の開放上面を塞ぐ天板（４）と、この天板（４）から下方に一体に垂設され、前記スリーブ（１）内に嵌挿される筒体（５）よりなり、この筒体（５）の外周面に形成した周溝（６）には、該外周面と、スリーブ（１）に内周面間を水密に封緘するパッキン（８）が嵌着されていることを特徴とする、スラブに打設されるスリーブの止水装置。
【請求項２】
前記パッキン（８）は、前記筒体（５）の外周面を囲繞するように環状に形成され、その横断面は下方に向かって先細りの矢印状パッキン部分（８ａ）と、このパッキン部分（８ａ）の上面に係止段差（８ｂ）を介して上方に一体に連続する延長部分（８ｃ）よりなることを特徴とする、前記請求項１記載のスラブに打設されるスリーブの止水装置。
【請求項３】
コンクリート躯体（Ｂ）のスラブ（Ｓ）に、上下方向に軸線をもち、かつ、スラブ（Ｓ）の上下面に開放するように打設されるスリーブ（１）の水抜装置であって、
前記スラブ（Ｓ）の上面よりも低位にある、前記スリーブ（１）の開放上部には、蓋体（３）が設けられ、該蓋体（３）は、前記スリーブ（１）の開放上面を塞ぐ天板（４）と、この天板（４）から下方に一体に垂設され、前記スリーブ（１）内に嵌挿される筒体（５）よりなり、前記天板（４）には、キャップ（２３）により閉じられる水抜ソケット（２０）が設けられ、この水抜ソケット（２０）には前記スリーブ（１）内に挿通される水抜用ホース（２１）の上端が着脱可能に接続され、また、前記筒体（５）の外周面に形成した周溝（６）には、該外周面と、スリーブ（１）に内周面間を水密に封緘するパッキン（８）が嵌着されていることを特徴とする、スラブに打設されるスリーブの水抜装置。
【発明の詳細な説明】
【０００１】
【発明の属する技術分野】
本発明は、建築物において、型枠によるコンクリート躯体の成形時に、そのスラブに打設されるスリーブの止水装置および水抜装置に関するものである。
【０００２】
【従来の技術】
一般に鉄筋コンクリート造りの多階層の建築物を構築するに当たっては、先ず型枠の組立てにより、下階層（たとえば一階層）のコンクリート躯体を打設成形し、該下階層のコンクリート躯体の、予め定められた存置期間（その強度と養生の確認）を待ってその上に上階層（たとえば二階層）の型枠を組み立て、該型枠にコンクリートを打設して上階層のコンクリート躯体を打設成形し、さらに、該上階層のコンクリート躯体の予め定められた存置期間を待ってその上に上階層（たとえば三階層）の型枠を組み立て、該型枠にコンクリートを打設して上階層のコンクリート躯体を打設成形し、以上の繰り返しで多階層のコンクリート躯体を構築する工法が採用されており、この場合、上階層のコンクリート躯体の成形完了前に、既に成形の完了している下階層のコンクリート躯体では、天井張り、間仕切りの設置などの内装、仕上工事を行い、工事の能率化、工期の短縮化により経済性を高めるようにしている。
【０００３】
ところで、各階層のコンクリート躯体の型枠による成形時に、各階層のスラブに、それぞれ空調用などの配管、電線などの配線を通すためのスリーブを打設する場合に、もし仮にそのスリーブに止水手段を施さないでおくと、上階層のスラブ上に溜まった雨水が、そのスリーブを通して下階層のコンクリート躯体に落水するため、この落水により、下階層の天井、間仕切りなどの内装材や仕上材を濡らしてしまうという不都合がある。
【０００４】
そこで、従来では、
▲１▼スラブのスリーブの開口を、蓋やガムテープにより塞いで、スリーブ内に雨水が侵入するのを防ぐ。
【０００５】
▲２▼スリーブをスラブのコンクリート面よりも高く立ち上げることにより、スリーブ内に雨水が侵入するのを防ぐ。
【０００６】
などの止水対策がとられている。
【０００７】
【発明が解決しようとする課題】
ところが、前記▲１▼の対策では、スリーブの止水作業が面倒であるばかりでなく、確実に落水を防ぐことができない。
【０００８】
また、前記▲２▼の手段では、スラブのコンクリート面を綺麗に仕上げられないばかりでなく、コンクリート打設後のスラブ面には、雨水が溜まってしまうため、墨出し作業がしにくく、この水抜きをするには、スリーブに水抜き用の穴を別途に開口するという面倒な作業をしなければならない。
【０００９】
という問題がある。
【００１０】
本発明はかかる実状に鑑みてなされたものであり、スラブに設けたスリーブの開口を簡単容易に、しかも確実に封緘して止水し、雨水がスリーブの開口を通して階下に落下するのを防止すると共に、スラブのコンクリート面上に溜まった雨水を階下のコンクリート躯体の外に水抜きすることができるようにした、新規なスラブに打設されるスリーブの止水および水抜装置を提供することを目的とするものである。
【００１１】
【課題を解決するための手段】
前記目的達成のため、本請求項１記載の発明は、コンクリート躯体のスラブに、上下方向に軸線をもち、かつ、スラブの上下面に開放するように打設されるスリーブの止水装置であって、前記スラブの上面よりも低位にある、前記スリーブの開放上部には、蓋体が設けられ、該蓋体は、前記スリーブの開放上面を塞ぐ天板と、この天板から下方に一体に垂設され、前記スリーブ内に嵌挿される筒体よりなり、この筒体の外周面に形成した周溝には、該外周面と、スリーブに内周面間を水密に封緘するパッキンが嵌着されていることを特徴としており、かかる特徴によれば、スリーブの開放上面を、パッキンを嵌着した筒体により水密に封緘して止水し、スリーブを通してスラブ上に溜まった雨水が落下するのを確実に防止することができる。
【００１２】
前記目的達成のため、本請求項２記載の発明は、前記請求項１記載のものにおいて、前記パッキンは、前記筒体の外周面を囲繞するように環状に形成され、その横断面は下方に向かって先細りの矢印状パッキン部分と、このパッキン部分の上面に係止段差を介して上方に一体に連続する延長部分よりなることを特徴としており、かかる特徴によれば、前記パッキンはスリーブと、蓋体との間の間隙を水密に封緘することができ、特に蓋体をスリーブ内に嵌挿する際に、その嵌挿をし易くし、しかもパッキンをスリーブと蓋体間の所定位置に確実に保持させることができる。
【００１３】
前記目的達成のため、本請求項３記載の発明は、コンクリート躯体のスラブに、上下方向に軸線をもち、かつ、スラブの上下面に開放するように打設されるスリーブの水抜装置であって、前記スラブの上面よりも低位にある、前記スリーブの開放上部には、蓋体が設けられ、該蓋体は、前記スリーブの開放上面を塞ぐ天板と、この天板から下方に一体に垂設され、前記スリーブ内に嵌挿される筒体よりなり、前記天板には、キャップにより閉じられる水抜ソケットが設けられ、この水抜ソケットには前記スリーブ内に挿通される水抜用ホースの上端が着脱可能に接続され、また、前記筒体の外周面に形成した周溝には、該外周面と、スリーブに内周面間を水密に封緘するパッキンが嵌着されていることを特徴としており、かかる特徴によれば、スラブ上に溜まった雨水をスリーブを通してコンクリート躯体外に排水して、スラブ上に溜まった雨水の水抜を簡単容易に、かつ確実に行なうことができる。
【００１４】
【発明の実施の形態】
以下、本発明の実施の形態を、添付図面に示した本発明の一実施例について説明する。
【００１５】
図１は、階上および階下のスラブに打設したスリーブに配管を挿通した状態を示すコンクリート躯体の一部断面図、図２は、階上のスラブ上にコンクリートを打設している状態を示すコンクリート躯体の一部断面図、図３は、スリーブを打設したスラブの部分断面図、図４は、止水装置を設けたスリーブの断面図、図５は、スリーブ、蓋体およびパッキンの分解斜視図、図６（ａ）および（ｂ）は、止水装置付のスリーブをスラブに打設した状態およびスリーブ上のコンクリートを裂破した状態を示す断面図、図７は、水抜装置を設けたスリーブの断面図である。
【００１６】
図４，５に示すように、コンクリート躯体ＢのスラブＳに打設されるスリーブ１は、亜鉛鉄板などの金属板により上、下端面を開放した円筒状に形成されており、その下端には、複数（４個）の釘ピース１ａが周方向に間隔をあけて放射状に外向きに固定されており、これらの釘ピース１ａは、型枠Ｍのスラブ成形用コンパネ（コンクリートパネル）１４ｓ（図１２参照）上に釘２を以て固定される。そして、その固定状態では、スリーブ１は、その軸線を鉛直方向に向けて前記コンパネ１４ｓ上に起立固定される。
【００１７】
スリーブ１の開放上部には、該スリーブ１内に打設コンクリートが侵入するのを防止、すなわち止水するため、蓋体３が設けられる。この蓋体３は、円盤状の天板４と、その下面に固定される円筒状の筒体５とより帽状に形成されている。前記筒体５は、スリーブ１よりも小径に形成されて該スリーブ１内にその開放上面より嵌挿される。また、前記筒体５の外周面の上下方向の中間部には、断面円弧状をなす周溝６が形成され、この周溝６には、シリコンスポンジよりなるパッキン８が嵌着される。このパッキン８は環状に形成されており、断面形状が下に向かって先細りの矢印形状のパッキン部分８ａと、このパッキン部分８ａの上面に係止段差８ｂを介して上方に延長される断面長方形状の延長部分８ｃとより形成されている。図４に示すように、パッキン８のパッキン部分８ａの内面は、前記蓋体３の筒体５に形成した前記周溝６に締代を以て嵌着される。
【００１８】
図４に示すように、スリーブ１の開放上部は、蓋体３により水密に封緘される。周溝６にパッキン８を嵌着した筒体５を、スリーブ１内に、その開放上面より嵌挿すれば、パッキン８のパッキン部分８ａは、周溝６とスリーブ１の内周面に密着されて、蓋体３の筒体５と、スリーブ１の内周面間を水密に封緘することができる。そして、蓋体３の筒体５をスリーブ１内に嵌挿する際には、パッキン８の断面矢印状のパッキン部分８ａは、その嵌挿をし易くすると共にその係止段差８ｂは、周溝６のエッジに密に係合して、パッキン８が周溝６から上方に抜け出るのを防止する。蓋体３の筒体５がスリーブ１に嵌着されたのち、該蓋体３の天板４が、スリーブ１の上縁にスポット溶接１０され、また、スリーブ１の上端と、天板４の裏面との継ぎ目の内側にコーキング１１が施され、これにより、天板４と筒体５の接合部からスリーブ１内に雨水が侵入するのを防止することができる。
【００１９】
次に図２を参照して、コンクリートの打設により、コンクリート躯体Ｂを成形する際に、そのスラブＳに、スリーブ１を打設する場合について説明する。
【００２０】
図２は、一階層Ｆ１のコンクリート躯体Ｂの成形が完了した後、二階層Ｆ２のコンクリート躯体Ｂを成形すべく、型枠Ｍにコンクリートを打設している状態が示されている。
【００２１】
既にコンクリートが固化して、成形の完了している一階層Ｆ１のコンクリート躯体Ｂ（スラブＳには、スリーブ１が打設されている）の上面、すなわちスラブＳ面上には、二階層Ｆ２のコンクリート躯体Ｂを成形すべく、コンパネ（コンクリートパネル）１４による型枠Ｍが組み付けられる。この場合、スラブ型枠Ｍｓ用のコンパネ１４ｓは、一階層Ｆ１のスラブＳ上に立設した複数の支柱１３により支持される。また、このスラブ型枠Ｍｓ用のコンパネ１４ｓ上には、前述のように、蓋体３の嵌着されたスリーブ１が釘２により固定される。二階層Ｆに組み立てられた型枠Ｍのコンクリート打設空間には、図２に鎖線にて示すように、コンクリートが打設され、二階層Ｆ２のコンクリート躯体Ｂが成形される。このとき、スラブ型枠Ｍｓに固定されるスリーブ１は、その開口上面が蓋体３により封緘されているので、コンクリートがスリーブ１内に侵入することなく、スラブＳにスリーブ１を打設することができる。コンクリートの安全な強度と養生について十分に確認し、定められた型枠存置期間をおいたのち、型枠Ｍの解体が行なわれ、二階層Ｆ２のコンクリート躯体Ｂの成形が完了する。
【００２２】
コンクリート躯体Ｂの成形後にも、スリーブ１の開口上端は、蓋体３により覆われていることにより、スラブＳ上に溜まった雨水がこのスリーブ１を通って落下し、階下のコンクリート躯体Ｂを濡らすことがない。図６（ａ）に示すように、スリーブ１の蓋体３上は、薄い（約５ｍｍ）コンクリートにより覆われるが、この薄いコンクリートを図６（ｂ）に示すように、裂破した後、蓋体３をスリーブ１から取り外せば、二階層Ｆ２のスラブＳに打設されたスリーブ１に、図１に示すように空調用などの配管Ｐを通すことができる。この場合、スリーブ１と配管Ｐとの間には、断熱材１９が介装される。
【００２３】
ところで、再び図２に戻り、上階層、すなわち二階層Ｆ２のコンクリート打設中には、既に成形の完了している下階層、すなわち一階層Ｆ１では、間仕切り１６、天井１７などを内装する内装工事やそれらの仕上工事が行なわれるが、上階層Ｆ２のスリーブ１は前述したように、その開放上部が蓋体３により水密に塞がれているので、上階層Ｆ２のスラブＳ上に溜まった雨水がスリーブ１を通って下階層Ｆ１のコンクリート躯体Ｂに落水することが防止され、階下の間仕切り１６、天井１７などの内装材や仕上材を濡らすことがない。
【００２４】
図７には、蓋体３付のスリーブ１に水抜装置を設けた場合であり、蓋体３の天板４の中央部には、上下面を開放した円筒状の水抜ソケット２０が固定され、この水抜ソケット２０には、スリーブ１内を通した水抜用ホース２１の上端を接続して、これを締付バンド２２により固定する。水抜ソケット２０は、図７に実線に示すように、通常はキャップとしてのゴムキャップ２３により閉じられる。
【００２５】
図７に鎖線にて示すように、前記ゴムキャップ２３を水抜ソケット２０より外せば、水抜ソケット２０が開口され、スラブＳ上に溜まった雨水は、水抜用ホース２１を通して階下のコンクリート躯体Ｂの外に排水することができる。
【００２６】
なお、一般に各階層のスラブＳには複数のスリーブ１が打設されるが、それらのスリーブ１には、いずれも前記止水装置が設けられ、また、それらの一個または数個に特定して前記水抜装置が設けられる。
【００２７】
以上、本発明の一実施例について説明したが、本発明はその実施例に限定されることなく、本発明の範囲内で種々の実施例が可能である。
【００２８】
たとえば、前記実施例では、スリーブ１を円筒状に形成した場合を説明したが、これを、角筒状、楕円筒状など他の筒状に形成してもよい。
【００２９】
【発明の効果】
本請求項１記載の発明によれば、コンクリート躯体のスラブに打設されるスリーブの開放上面を、パッキンを嵌着した筒体により水密に封緘してスリーブを通してスラブ上の雨水が落下するのを確実に防止することができる。
【００３０】
また、本請求項２記載の発明によれば、前記パッキンはスリーブと、蓋体との間の間隙を水密に封緘することができ、特に、蓋体をスリーブ内に嵌挿する際に、その嵌挿をし易くし、しかもパッキンをスリーブと蓋体間の所定位置に確実に保持させることができる。
【００３１】
さらに、本請求項３記載の発明によれば、スラブ上に溜まった雨水をスリーブを通してコンクリート躯体外に確実に排水することができる。
【図面の簡単な説明】
【図１】階上および階下のスラブに打設したスリーブに配管を挿通した状態を示すコンクリート躯体の一部断面図
【図２】階上のスラブ上にコンクリートを打設している状態を示すコンクリート躯体の一部断面図
【図３】スリーブを打設したスラブの部分断面図
【図４】止水装置を設けたスリーブの断面図
【図５】スリーブ、蓋体およびパッキンの分解斜視図
【図６】（ａ）および（ｂ）は、止水装置付のスリーブをスラブに打設した状態およびスリーブ上のコンクリートを裂破した状態を示す断面図
【図７】水抜装置を設けたスリーブの断面図
【符号の説明】
１・・・・・スリーブ
３・・・・・蓋体
４・・・・・天板
５・・・・・筒体
６・・・・・周溝
８・・・・・パッキン
８ａ・・・・パッキン部分
８ｂ・・・・係止段差
８ｃ・・・・延長部分
２０・・・・水抜ソケット
２１・・・・水抜用ホース
２２・・・・締付バンド
２３・・・・キャップ
Ｂ・・・・・コンクリート躯体
Ｓ・・・・・スラブ
【図１】
2004270396.tif 000003
【図２】
2004270396.tif 000004
【図３】
2004270396.tif 000005
【図４】
2004270396.tif 000006
【図５】
2004270396.tif 000007
【図６】
2004270396.tif 000008
【図７】
2004270396.tif 000009